(57)【要約】【課題】幼児や、猫等の動物等によるディスプレイの破損を防止することができ、使い勝手の良いディスプレイ装置を提供することである。【解決手段】液晶テレビジョン受像機１００において、第１の検出センサ９１は、液晶ディスプレイ７ａの前方における第１の検出範囲内の物体を検出し、第２の検出センサ９２は、第１の検出範囲よりも下方の第２の検出範囲内の物体を検出し、表示制御手段（表示制御プログラム１０４ａ等）は、第１の検出センサ９１により物体が検出されず、第２の検出センサ９２のみにより物体が検出された場合に、液晶ディスプレイ７ａに表示される映像を消す。また、レールは、第１の検出センサ９１及び第２の検出センサ９２のそれぞれを、上下方向に可動とし、角度調整部９４、９５は、第１の検出センサ９１及び第２の検出センサ９２のそれぞれの角度を調整可能とする。【選択図】図１
2008298974.tif 000002
【特許請求の範囲】
【請求項１】
映像を表示するディスプレイと、
前記ディスプレイの前方における第１の検出範囲内の物体を検出する第１の検出センサと、
前記ディスプレイの前方における、前記第１の検出範囲よりも下方の第２の検出範囲内の物体を検出する第２の検出センサと、
前記第１の検出センサにより物体が検出されず、前記第２の検出センサのみにより物体が検出された場合に、前記ディスプレイに表示される映像を消す表示制御手段と、
を備えることを特徴とするディスプレイ装置。
【請求項２】
前記第１の検出センサ及び前記第２の検出センサのそれぞれを、上下方向に可動とする可動部を備えることを特徴とする請求項１に記載のディスプレイ装置。
【請求項３】
前記第１の検出センサ及び前記第２の検出センサのそれぞれの角度を調整可能とする角度調整部を備えることを特徴とする請求項１又は２に記載のディスプレイ装置。
【請求項４】
前記ディスプレイは、液晶ディスプレイであることを特徴とする請求項１〜３の何れか一項に記載のディスプレイ装置。
【請求項５】
前記第１の検出センサ及び前記第２の検出センサのそれぞれは、赤外線センサであることを特徴とする請求項１〜４の何れか一項に記載のディスプレイ装置。
【請求項６】
前記第１の検出センサにより物体が検出されず、前記第２の検出センサのみにより物体が検出された場合に、所定の周波数の音を出力する音出力手段を備えることを特徴とする請求項１〜５の何れか一項に記載のディスプレイ装置。
【請求項７】
映像を表示する液晶ディスプレイと、
前記液晶ディスプレイの前方における第１の検出範囲内の物体を検出する第１の検出センサと、
前記液晶ディスプレイの前方における、前記第１の検出範囲よりも下方の第２の検出範囲内の物体を検出する第２の検出センサと、
前記第１の検出センサにより物体が検出されず、前記第２の検出センサのみにより物体が検出された場合に、前記液晶ディスプレイに表示される映像を消す表示制御手段と、
前記第１の検出センサ及び前記第２の検出センサのそれぞれを、上下方向に可動とする可動部と、
前記第１の検出センサ及び前記第２の検出センサのそれぞれの角度を調整可能とする角度調整部と、
前記第１の検出センサにより物体が検出されず、前記第２の検出センサのみにより物体が検出された場合に、所定の周波数の音を出力する音出力手段と、
を備え、
前記第１の検出センサ及び前記第２の検出センサのそれぞれは、赤外線センサであることを特徴とするディスプレイ装置。
【発明の詳細な説明】
【技術分野】
【０００１】
本発明は、ディスプレイ装置に関する。
【背景技術】
【０００２】
液晶ディスプレイは、映像が細密である一方で、ディスプレイが破損しやすいという難点がある。このような液晶ディスプレイを低い位置に設置したような場合に、猫や犬、幼児が、ディスプレイに表示される映像に興味を持って近づき、引っ掻く等してディスプレイに傷を付けてしまうという問題があった。
【０００３】
そこで、特許文献１には、赤外線センサによって、視聴者がテレビに近づき過ぎたことを検知して、テレビの映像を自動的に消滅させるテレビ装置が提案されている。
【特許文献１】実開平７−４３７４３号公報
【発明の開示】
【発明が解決しようとする課題】
【０００４】
しかしながら、上記特許文献１のテレビ装置では、ディスプレイに近づいた者の区別を行わずに、テレビの映像を消滅させるため、大人が近づいた場合にも映像が消去されることとなって、不都合が生じてしまう。
【０００５】
本発明の課題は、幼児や、猫等の動物によるディスプレイの破損を防止することができ、使い勝手の良いディスプレイ装置を提供することである。
【課題を解決するための手段】
【０００６】
上記課題を解決するため、請求項１に記載の発明は、ディスプレイ装置において、映像を表示するディスプレイと、
前記ディスプレイの前方における第１の検出範囲内の物体を検出する第１の検出センサと、
前記ディスプレイの前方における、前記第１の検出範囲よりも下方の第２の検出範囲内の物体を検出する第２の検出センサと、
前記第１の検出センサにより物体が検出されず、前記第２の検出センサのみにより物体が検出された場合に、前記ディスプレイに表示される映像を消す表示制御手段と、
を備えることを特徴とする。
【０００７】
請求項２に記載の発明は、請求項１に記載のディスプレイ装置において、前記第１の検出センサ及び前記第２の検出センサのそれぞれを、上下方向に可動とする可動部を備えることを特徴とする。
【０００８】
請求項３に記載の発明は、請求項１又は２に記載のディスプレイ装置において、前記第１の検出センサ及び前記第２の検出センサのそれぞれの角度を調整可能とする角度調整部を備えることを特徴とする。
【０００９】
請求項４に記載の発明は、請求項１〜３の何れか一項に記載のディスプレイ装置において、前記ディスプレイは、液晶ディスプレイであることを特徴とする。
【００１０】
請求項５に記載の発明は、請求項１〜４の何れか一項に記載のディスプレイ装置において、前記第１の検出センサ及び前記第２の検出センサのそれぞれは、赤外線センサであることを特徴とする。
【００１１】
請求項６に記載の発明は、請求項１〜５の何れか一項に記載のディスプレイ装置において、前記第１の検出センサにより物体が検出されず、前記第２の検出センサのみにより物体が検出された場合に、所定の周波数の音を出力する音出力手段を備えることを特徴とする。
【００１２】
請求項７に記載の発明は、ディスプレイ装置において、映像を表示する液晶ディスプレイと、
前記液晶ディスプレイの前方における第１の検出範囲内の物体を検出する第１の検出センサと、
前記液晶ディスプレイの前方における、前記第１の検出範囲よりも下方の第２の検出範囲内の物体を検出する第２の検出センサと、
前記第１の検出センサにより物体が検出されず、前記第２の検出センサのみにより物体が検出された場合に、前記液晶ディスプレイに表示される映像を消す表示制御手段と、
前記第１の検出センサ及び前記第２の検出センサのそれぞれを、上下方向に可動とする可動部と、
前記第１の検出センサ及び前記第２の検出センサのそれぞれの角度を調整可能とする角度調整部と、
前記第１の検出センサにより物体が検出されず、前記第２の検出センサのみにより物体が検出された場合に、所定の周波数の音を出力する音出力手段と、
を備え、
前記第１の検出センサ及び前記第２の検出センサのそれぞれは、赤外線センサであることを特徴とする。
【発明の効果】
【００１３】
本発明によれば、ディスプレイにより、映像が表示され、第１の検出センサにより、ディスプレイの前方における第１の検出範囲内の物体が検出され、第２の検出センサにより、第１の検出範囲よりも下方の第２の検出範囲内の物体が検出され、表示制御手段により、第１の検出センサにより物体が検出されず、第２の検出センサのみにより物体が検出された場合に、ディスプレイに表示される映像が消される。
したがって、第２の検出センサにより、第２の検出範囲のみで物体が検出された場合に、ディスプレイに表示される映像が消されるため、幼児や、猫等の動物等の、大人よりも背丈の低い物体がディスプレイに近づいた場合にのみ、ディスプレイの映像を消すことが可能となる。よって、幼児や、猫等の動物等がディスプレイの表示される映像に対して興味を持つことを阻止することにより、幼児や、猫等の動物等によるディスプレイの破損を防止することができるとともに、大人が近づいた場合には映像が消されることがなく使い勝手の良いディスプレイ装置を提供することができる。
【発明を実施するための最良の形態】
【００１４】
以下、本発明の実施の形態について、図面を参照しながら説明を行う。本実施形態では、ディスプレイ装置として液晶テレビジョン受像機について説明する。
図１は、本実施形態の液晶テレビジョン受像機１００の要部構成を例示するブロック図である。また、図２は、本実施形態の液晶テレビジョン受像機１００の平面図である。
【００１５】
まず、図１を参照しながら、本実施形態の液晶テレビジョン受像機１００の要部構成について説明する。
液晶テレビジョン受像機１００は、例えば、図１に示すように、キー操作部１、テレビジョン放送信号を受信するアンテナ２、アンテナ２から入力された所定の周波数の音声・映像信号を選局するチューナ３、チューナ３により選局された映像信号を復調する復調部４、復調部４により復調された映像信号をデコードするデコーダ部５、映像信号及び音声信号に対して所定の映像処理を行う信号処理部６、映像信号に基づく映像を表示させる表示部７、音声を出力する音声出力部（音出力手段）８、第１の検出範囲Ｒ１又は第２の検出範囲Ｒ２に存在する物体を検出する検出部９、液晶テレビジョン受像機１００全体を統括制御する制御部１０等を備えて構成され、各部はバス１１により接続されている。
【００１６】
キー操作部１は、例えば、ユーザが液晶テレビジョン受像機１００に対して各種指示を入力するための複数のキーを備え、ユーザによるキーの押下操作に基づいて、押下されたキーに対応する操作信号をＣＰＵ１０１に出力する。
当該キー操作部１は、液晶テレビジョン受像機１００の筐体１００ａの前面部や、また、液晶テレビジョン受像機１００を遠隔操作するリモートコントローラに設けられる。
【００１７】
アンテナ２は、例えば、屋外において所定の方向に向けて配置されており、図示しないテレビジョン放送局から発信される高周波（ＲＦ）のテレビジョン放送信号である音声・映像信号を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合し、さらに、特定の周波数を選局するための制御部１０からの制御信号に応じて、特定周波数帯の中間周波信号（IF信号）を受信し、当該中間周波信号に所定の処理を行って復調部４に出力する。
復調部４は、例えば、制御部１０の制御に従い、チューナ３から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部５に出力する。
デコーダ部５は、例えば、復調部４から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部１０に供給する。ビデオデコーダは、ＴＳデコーダから入力されたビデオストリームを復号し、逆ＤＣＴ変換や動き補償制御等を行い、映像データを生成して、信号処理部６に出力する。また、オーディオデコーダは、ＴＳデコーダから入力されたオーディオストリームを復号し、音声データを生成して信号処理部６に出力する。
信号処理部６は、図示しない映像処理部及び音声処理部を備え、オーディオデコーダから入力された音声データに対して、Ｄ／Ａ変換等の各種処理を行い、音声信号を生成して音声出力部８に出力するとともに、ビデオデコーダから入力された映像データに対して、画質調整処理等の各種の映像処理を行い、映像信号を生成して表示部７に出力する。
【００１８】
表示部７は、例えば、アクティブマトリクス駆動方式による液晶（LCD :Liquid Crystal Display）ディスプレイ７ａを備えている。当該液晶ディスプレイ７ａは、図示は省略するが、ガラス基板と対向基板とが２枚の偏光板で挟まれるとともに、これらの間に液晶層が封入されており、背面側にバックライト７ｂが配設されている。
音声出力部８は、例えば、スピーカ８ａ等を備え、信号処理部６から入力された音声信号に基づく音声を出力させる。また、音声出力部８は、発振回路８ｂを備えて構成され、後述の音声出力プログラム１０４ｂの実行において、制御部１０による制御に従い、所定の周波数で発振して、テレビジョン放送の音声信号に当該所定の周波数の音声信号を重畳させて音声を出力する。
【００１９】
検出部９は、例えば、第１の検出センサ９１、第２の検出センサ９２、レール（可動部）９３、角度調整部９４、９５等を備えて構成され、第１の検出センサ９１、第２の検出センサ９２により、液晶ディスプレイ７ａの前方領域の検出範囲内に、人間や動物（物体）が検出された際に、検出信号を制御部１０に出力する。検出部９の第１の検出センサ９１及び第２の検出センサ９２は、例えば、人間や動物の発する赤外線放射量の変化を検出する焦電型の赤外線センサである。
【００２０】
具体的には、液晶テレビジョン受像機１００の筐体１００ａには、例えば、図２に示すように、前面部の一側方に、上下方向に延びる２本のレール９３が、平行に付設されている。また、当該レール９３上には、レール９３の長手方向に沿って転動する２つの回転ローラ（図示省略）を備えた支持部（図示省略）と、第１の検出センサ９１及び第２の検出センサ９２が、自重によって下降するのを阻止するための２つのストッパ（図示省略）が設けられている。第１の検出センサ９１及び第２の検出センサ９２のそれぞれは、これらの支持部に取り付けられており、回転ローラが転動することにより、上下方向にスライドする。また、レール９３には上下方向に並ぶ複数の穴が設けられ、２つのストッパは当該レールの穴に挿入される。第１の検出センサ９１は、図２に示すように、上下方向に延びるレール９３における上側に取り付けられ、第２の検出センサ９２は、下側に取り付けられている。ユーザは、第１の検出センサ９１及び第２の検出センサ９２のそれぞれを、所望の位置に手動で昇降させて、その位置のストッパに当接させることにより、第１の検出センサ９１及び第２の検出センサ９２の固定位置を自在に変更することができる。
また、レール９３上には、第１の検出センサ９１の角度を上下方向に調整するための角度調整部９４と、第２の検出センサ９２の角度を上下方向に調整するための角度調整部９５が配設される。当該角度調整部９４、９５は、上下方向と直交する軸線回りに回動可能であるとともに、締結部材（図示省略）によりその回動が阻止されるように構成され、角度調整部９４及び角度調整部９５に取り付けられた第１の検出センサ９１と第２の検出センサ９２の姿勢を維持する。ユーザは、第１の検出センサ９１及び第２の検出センサ９２の傾斜角度を、角度調整部９４、９５のそれぞれを回動させることにより、第１の検出センサ９１及び第２の検出センサ９２の、筐体１００ａに対する傾斜角度を、手動で変更することができる。
【００２１】
図３は、第１の検出センサ９１及び第２の検出センサ９２による検出が行われる検出範囲を説明するための図である。
第１の検出センサ９１は、上述したように、上下方向に延びるレール９３の上側に取り付けられており、図３に例示する第１の検出範囲Ｒ１内の物体を検出する。また、第２の検出センサ９２は、第１の検出センサ９１より下側に取り付けられており、図３に例示する第１の検出範囲Ｒ１よりも下方の、第２の検出範囲Ｒ２内の物体を検出する。
ユーザは、液晶テレビジョン受像機１００を配置する場所（例えば、床面等）に応じて、第１の検出範囲Ｒ１及び第２検出範囲Ｒ２が適切な範囲となるよう、当該第１の検出センサ９１及び第２の検出センサ９２の、レール９３上における上下方向の位置と、筐体１００ａに対する傾斜角度を調整する。
【００２２】
第１の検出範囲Ｒ１及び第２の検出範囲Ｒ２は、具体的には、液晶テレビジョン受像機１００の前方領域に存在する物体が、幼児や猫等の動物よりも背丈の高い大人である場合に、その大人が、第１の検出センサ９１及び第２の検出センサ９２の両方により検出されるような範囲に設定されるとともに、液晶テレビジョン受像機１００の前方領域に存在する物体が、大人よりも背丈の低い幼児や猫等の動物である場合に、その幼児や動物が、第１の検出センサ９１によっては検出されず、第２の検出センサ９２のみによって検出されるような範囲に設定される。
すなわち、例えば、第１の検出範囲Ｒ１が、液晶テレビジョン受像機１００の液晶ディスプレイ７ａから所定の距離離れた位置において、底面から１００ｃｍ以上の領域である場合には、１００ｃｍ以上の背丈の大人が、液晶ディスプレイ７ａに当該所定の距離近づくと、第１の検出センサ９１と第２の検出センサ９２の両方によって検出されることとなる。一方、同様の場合において、１００ｃｍ未満の背丈の幼児や猫等の動物が、液晶ディスプレイ７ａに当該所定の距離近づくと、第１の検出センサ９１によっては検出されず、第２の検出センサ９２によってのみ検出されることとなる。
【００２３】
制御部１０は、ＣＰＵ（Central Processing Unit）１０１、ＲＴＣ（Real Time Clock）１０２、メモリ部１０３、ＲＯＭ（Read Only Memory）１０４等を備えて構成されている。
【００２４】
ＣＰＵ１０１は、液晶テレビジョン受像機１００の各部から入力された入力信号に応じて、ＲＯＭ１０４に格納された各種プログラムを実行するとともに、実行にかかるプログラムに基づいて各部に出力信号を出力することにより、液晶テレビジョン受像機１００の動作全般を統括制御する。
【００２５】
ＲＴＣ１０２は、ＣＰＵ１０１による制御に応じて時間データをカウントし、カウントした時間データをＣＰＵ１０１に対して出力する。
【００２６】
メモリ部１０３は、例えば、ＲＡＭ（Random Access Memory）等の揮発性メモリからなるワークエリア（図示省略）を備え、ＣＰＵ１０１によって各種プログラムが実行される際に生じる処理結果や、入力されたデータ等をこのワークエリアに記憶させる。また、メモリ部１０３は、ＥＰＲＯＭ（Erasable Programmable ROM）等の不揮発性メモリからなるデータエリア（図示省略）を備えている。
【００２７】
ＲＯＭ１０４は、例えば、不揮発性メモリから成るプログラム格納エリアを有しており、具体的には、表示制御プログラム１０４ａ、音声出力プログラム１０４ｂ等を記憶している。
【００２８】
表示制御プログラム１０４ａは、例えば、ＣＰＵ１０１に、第１の検出センサ９１により物体が検出されず、第２の検出センサ９２のみにより物体が検出された場合に、液晶ディスプレイ７ａに表示される映像を消す機能を実現させるためのプログラムである。
具体的には、ＣＰＵ１０１は、第１の検出範囲Ｒ１・第２の検出範囲Ｒ２における物体の検出に応じて、第１の検出センサ９１及び第２の検出センサ９２から出力される検出信号を監視する。そして、第１の検出センサ９１及び第２の検出センサ９２により、第１の検出範囲Ｒ１と、第１の検出範囲Ｒ１よりも下方の、第２の検出範囲Ｒ２の両方において、物体が検出された際には、大人が検出されたと判断して監視を継続する。一方、第１の検出センサ９１により、第１の検出範囲Ｒ１内に物体が検出されず、第２の検出センサ９２により、第２の検出範囲Ｒ２に物体が検出された際には、猫等の動物や幼児が検出されたと判断して、液晶ディスプレイ７ａに表示される映像を消去する。映像を消去する方法として、ＣＰＵ１０１は、例えば、バックライト７ｂをオフする処理や、液晶ディスプレイ７ｂに黒画面等を出力させる処理等を行う。
ＣＰＵ１０１は、かかる表示制御プログラム１０４ａを実行することにより、表示制御手段として機能する。
【００２９】
音声出力プログラム１０４ｂは、例えば、ＣＰＵ１０１に、第１の検出センサ９１により物体が検出されず、第２の検出センサ９２のみにより物体が検出された場合に、所定の周波数の音声信号を出力する機能を実現させるためのプログラムである。
具体的には、ＣＰＵ１０１は、前述の表示制御プログラム１０４ａの実行において、第１の検出センサ９１により、第１の検出範囲Ｒ１内には物体が検出されず、第２の検出センサ９２により、第２の検出範囲Ｒ２のみに物体が検出され、猫等の動物や幼児が検出されたと判断して、液晶ディスプレイ７ａに表示される映像の消去を行うと、この処理と並行して、テレビジョン放送の音声信号に、所定の周波数帯の音声信号を重畳させ、この音声信号に基づいて音声出力部８から音声を出力させる処理を行う。当該所定の周波数帯の音声信号としては、例えば、１８〜２２ｋＨｚ等の猫や犬等の動物が嫌う高周波帯域の音声信号が用いられる。
ＣＰＵ１０１は、かかる音声出力プログラム１０４ｂを実行することにより、音声出力部８とともに音出力手段として機能する。
【００３０】
ここで、図４〜図６を参照しながら、液晶テレビジョン受像機１００の前方領域に、大人、又は、幼児や猫等の動物が存在する場合において、表示制御プログラム１０４ａ及び音声出力部８により行われる処理について説明する。
例えば、図４に示すように、液晶ディスプレイ７ａの前方領域に、背丈の高い大人が存在する場合には、第１の検出センサ９１による検出範囲である第１の検出範囲Ｒ１と、第２の検出センサ９２による検出範囲である第２の検出範囲Ｒ２との両方で、当該大人が検出されることとなる。
また、例えば、図５に示すように、液晶ディスプレイ７ａの前方領域に、背丈の低い幼児が存在する場合や、図６に示すように、背丈の低い猫等の動物が存在する場合には、第１の検出センサ９１により検出範囲である第１の検出範囲Ｒ１では検出されず、第２の検出センサ９２による検出範囲である第２の検出範囲Ｒ２のみで検出されることとなる。
【００３１】
ＣＰＵ１０１は、図５及び図６のように、液晶ディスプレイ７ａの前方領域の第２の検出範囲Ｒ２内にのみ、幼児や猫等の動物が検出されたと判断すると、液晶ディスプレイ７ａに表示される映像を消去するとともに、音声出力部８から出力されるテレビジョン放送の音声信号に、猫等の動物が嫌う周波数帯の音声信号を重畳して出力させる。
これにより、液晶ディスプレイ７ａが床面等の低い場所に設置される場合であっても、幼児や猫等の動物が、液晶ディスプレイ７ａに表示される映像に興味を持つのを阻止することができ、幼児や猫等の動物が液晶ディスプレイ７ａを引っ掻いたり、倒したりして、液晶ディスプレイ７ａを破損することを防止することができる。また、液晶ディスプレイ７ａに近づいた物体が、猫等の動物である場合には、音声出力部８から出力される音声により、当該猫等の動物を液晶ディスプレイ７ａから遠ざけることができる。
【００３２】
以上説明した本実施形態における液晶テレビジョン受像機１００によれば、液晶ディスプレイ７ａにより、映像が表示され、液晶ディスプレイ７ａの前方における第１の検出センサ９１により、第１の検出範囲Ｒ１内の物体が検出され、第２の検出センサ９２により、第１の検出範囲Ｒ１よりも下方の第２の検出範囲Ｒ２内の物体が検出され、ＣＰＵ１０１による表示制御プログラム１０４ａの実行により、第１の検出センサ９１により物体が検出されず、第２の検出センサ９２のみにより物体が検出された場合に、液晶ディスプレイ７ａに表示される映像が消される。
したがって、第２の検出センサ９２により、第２の検出範囲Ｒ２のみで物体が検出された場合に、液晶ディスプレイ７ａに表示される映像が消されるため、幼児や、猫等の動物等の、相対的に大人よりも背丈の低い物体が液晶ディスプレイ７ａに近づいた場合にのみ、液晶ディスプレイ７ａの映像を消すことが可能となる。よって、幼児や、猫等の動物等が液晶ディスプレイ７ａの表示される映像に対して興味を持つことを阻止することにより、幼児や、猫等の動物等によるディスプレイの破損を防止することができるとともに、大人が近づいた場合には映像が消されることがなく使い勝手の良いディスプレイ装置を提供することができる。
【００３３】
また、液晶テレビジョン受像機１００において、レール９３により、第１の検出センサ９１及び第２の検出センサ９２のそれぞれが、上下方向に可動とされる。したがって、液晶テレビジョン受像機１００の配置場所に応じて、第１の検出範囲Ｒ１及び第２の検出範囲Ｒ２を適切な範囲に設定することができることとなって、液晶テレビジョン受像機１００の使い勝手を向上させることができる。
【００３４】
また、液晶テレビジョン受像機１００において、角度調整部９４、９５により、第１の検出センサ９１及び第２の検出センサ９２のそれぞれの角度が調整可能とされる。したがって、液晶テレビジョン受像機１００に配置場所に応じて、第１の検出範囲Ｒ１及び第２の検出範囲Ｒ２をより適切な範囲に設定することができることとなって、液晶テレビジョン受像機１００の使い勝手を向上させることができる。
【００３５】
また、テレビジョン受像機に備わるディスプレイは、液晶ディスプレイ７ａであるため、外部からの衝撃に弱い液晶ディスプレイ７ａであっても、液晶テレビジョン受像機１００を低い場所等に設置することができる。
【００３６】
また、液晶テレビジョン受像機１００に備わる第１の検出センサ９１及び第２の検出センサ９２のそれぞれは、赤外線センサである。したがって、暗所であっても、第１の検出範囲Ｒ１、第２の検出範囲Ｒ２内に存在する物体を検出することができる。
【００３７】
また、液晶テレビジョン受像機１００において、第１の検出センサ９１により物体が検出されず、第２の検出センサ９２のみにより物体が検出された場合に、音声出力プログラム１０４ｂの実行により、所定の周波数の音が出力される。したがって、動物等が嫌う周波数の音を出力すれば、液晶ディスプレイ７ａから動物等を遠ざけることができる。
【００３８】
なお、本発明は、上記実施の形態に限られることなく、本発明の趣旨を逸脱しない範囲において、種々の改良並びに設計の変更を行っても良い。
例えば、第１の検出センサ９１及び第２の検出センサ９２は、ユーザによるキー操作部１における操作に従って、自動でスライド可能に構成しても良く、また、第１の検出センサ９１及び第２の検出センサ９２の角度も、自動で調整できるように構成しても良い。
また、第１の検出センサ９１及び第２の検出センサ９２の角度を、左右方向に調整可能であっても良い。
また、第１の検出センサ９１及び第２の検出センサ９２は、それぞれ２つ以上のセンサにより構成しても良い。また、第１の検出センサ９１及び第２の検出センサ９２は、赤外線センサに限られず、例えば、超音波センサであってもよい。
また、第１の検出センサ９１及び第２の検出センサ９２の位置は、上記実施形態で例示した位置に限られず、例えば、液晶テレビジョン受像機１００の筐体１００ａの側面部に設けても良い。
また、音声出力部８から、人間の可聴周波数帯域の音声信号を出力する場合には、幼児や猫等の動物が、液晶ディスプレイ７ａに近づいたことを報知する手段として用いることもできる。
また、動物と侵入者の判別を行い、侵入者の侵入を監視する手段を備えていても良い。例えば、第２の検出センサ９２のみにより物体が検出された場合に動物と判別し、一方、第１の検出センサ９１及び第２の検出センサ９２により、物体が検出された場合に侵入者と判別して、所定の警告や警備会社への通報等を行う。
【図面の簡単な説明】
【００３９】
【図１】本実施形態のテレビジョン受像機の要部構成を例示するブロック図である。
【図２】本実施形態のテレビジョン受像機の平面図である。
【図３】第１の検出センサ及び第２検出センサによる検出が行われる検出範囲を説明するための図である。
【図４】テレビジョン受像機の前方領域に大人が存在する場合に、表示制御プログラム及び音声出力部により行われる処理について説明するための図である。
【図５】テレビジョン受像機の前方領域に幼児が存在する場合に、表示制御プログラム及び音声出力部により行われる処理について説明するための図である。
【図６】テレビジョン受像機の前方領域に猫等の動物が存在する場合に、表示制御プログラム及び音声出力部により行われる処理について説明するための図である。
【符号の説明】
【００４０】
１００      液晶ディスプレイ装置（ディスプレイ装置）
７ａ        液晶ディスプレイ（ディスプレイ）
８          音声出力部（音出力手段）
９１        第１の検出センサ
９２        第２の検出センサ
９３        レール（可動部）
９４、９５  角度調整部
１０１      ＣＰＵ（表示制御手段、音出力手段）
１０４ａ    表示制御プログラム（表示制御手段）
１０４ｂ    音声出力プログラム（音出力手段）
Ｒ１        第１の検出範囲
Ｒ２        第２の検出範囲
【図１】
2008298974.tif 000003
【図２】
2008298974.tif 000004
【図３】
2008298974.tif 000005
【図４】
2008298974.tif 000006
【図５】
2008298974.tif 000007
【図６】
2008298974.tif 000008